(57)【特許請求の範囲】
【請求項１】
金属製、又は樹脂製、或いはグラスファイバー、炭素繊維強化複合材料の何れかで形成されている可撓性を備え、かつ耐性で成る釣竿の竿芯と、
この釣竿の元竿部に被嵌された、木質、又は金属製、樹脂製、或いはグラスファイバー、炭素繊維強化複合材料樹脂製の何れかで形成されている複数のリング形状の短管体でなる鞘管と、
前記鞘管の内周面と前記竿芯の外周面の間に形成した空間と、
を備えた釣竿のグリップにおいて、
前記鞘管は口金を備え、
前記短管体は、外周側の肉をカットした差込み片と、前記差込み片に繋がるリング形状の外郭管体とで構成した、
ことを特徴とする釣竿のグリップ。
【請求項２】
金属製、又は樹脂製、或いはグラスファイバー、炭素繊維強化複合材料の何れかで形成されている可撓性を備え、かつ耐性で成る釣竿の竿芯と、
この釣竿の元竿部に被嵌された、木質、又は金属製、樹脂製、或いはグラスファイバー、炭素繊維強化複合材料樹脂製の何れかで形成されている複数のリング形状の短管体でなる鞘管と、
前記鞘管の内周面と前記竿芯の外周面の間に形成した空間と、
を備えた釣竿のグリップにおいて、
前記鞘管は口金を備え、
前記短管体は、外周側の肉をカットした、連結用の細径外管の繋ぎ片と、前記リング形状の外郭管体でなり、前記繋ぎ片に前記外郭管体が被嵌可能である、
ことを特徴とする釣竿のグリップ。
【請求項３】
前記短管体は、前記差込み片、又は前記繋ぎ片を用いて、接着剤で連繋固止可能なことを特徴とする請求項１又は２に記載の釣竿のグリップ。
【請求項４】
前記口金と、前記鞘管、又は前記短管体と、前記竿芯は、接着剤、止め具、又は緊締紐の何れかで、固止可能なことを特徴とする請求項１から３のいずれか一項に記載の釣竿のグリップ。
【請求項５】
前記口金と、前記鞘管、又は前記短管体は、前記リング形状の管の肉厚を、０．５ｍｍ〜５ｍｍとしたことを特徴とする請求項１から４のいずれか一項に記載の釣竿のグリップ。
【請求項６】
前記口金と、前記鞘管、又は前記短管体は、木質であることを特徴とする請求項１から５のいずれか一項に記載の釣竿のグリップ。
【請求項７】
前記口金と、前記鞘管、又は前記短管体は、木質、又は金属製、樹脂製、或いはグラスファイバー、炭素繊維強化複合材料樹脂製の何れかで形成可能なことを特徴とする請求項１から６のいずれか一項に記載の釣竿のグリップ。
【請求項８】
前記鞘管の前記口金は、穂先側、及び／又は手元側端部に設けることを特徴とする請求項１から７のいずれか一項に記載の釣竿のグリップ。
【発明の詳細な説明】
【技術分野】
【０００１】
本発明は、釣竿のグリップで、かつ望ましくは、木質でなる鞘管を竿芯に被嵌固止する構成の釣竿グリップに関する。
【背景技術】
【０００２】
発明者の見識では、魚釣りには、様々の釣りと、その釣り方、又は釣竿が存在する。尚、魚釣りにはミャク釣りやウキ釣り、疑似餌による釣り等の様々な釣り方がある。ミャク釣りは軽いオモリを付けた仕掛けや針やサルカンや餌の重さ等で、糸の変化や竿、指先へのあたりを感じて釣る釣法で、所謂、魚信（釣りで、魚が餌等に触れたことが、釣竿や糸やウキに伝わる。当たりのことである）で、釣竿を上部に振り上げることによって、餌の付いた針を、魚の口等にフックさせる釣り方である。
【０００３】
そして、この魚信をとらえる時の指先への伝達は、例えば、餌の付いた針→釣糸→竿芯→釣り人の手指とか、又は、餌の付いた針→釣糸→リール→釣り人の手指、更には、餌の付いた針→釣糸→竿芯のガイド→竿芯→竿芯のグリップ→リールシート→リール→釣り人の手指、若しくは、餌の付いた針→釣糸→竿芯のガイド→竿芯→パイプシート等（リールを固定するリールシートと、竿芯の太さに合わせパイプ状の土台部分が一体となったもの）→釣り人の手指、等がある。
【０００４】
従って、魚等の釣りに使用する釣竿の役割は、例えば、釣る魚等の種類とか、釣り方にもよるが、視覚による竿先の動き、及び／又は、餌の付いた釣糸から、竿芯とかグリップに伝わる感触で釣竿を拳上させる動作で、釣り糸につけた針に引っ掛った魚等（獲物）を釣り上げる。このようなことから、竿先の動き以外で重要となるのが、魚等が針に付けられた餌や、釣糸の先に付けられた疑似餌等を捕食している感触が、釣り人の手等に伝わることであり、竿芯や、グリップ、或いはパイプシート等の役割が重要となる。
【０００５】
また、釣竿と、そのグリップの形態を検討する。例えば、素材とか、竿芯とグリップの相性において、それぞれの拘りと特性とが考えられる。以下、個別に詳述すると、釣竿は、大半が、グラスファイバーやカーボン等の複合素材で作られている。一方で、釣竿のグリップは、その素材に直接塗装が施されたものや、ざらつきを施した塗装・ゴム等のラバー等で滑り止めを施したもの、軽さと滑り止めを兼ねたコルクや発泡ウレタン、発泡ゴム等を使用したものとか、稀には天然素材を生かした竹等のグリップが存在する。
【０００６】
以上のような事を鑑み、本発明を考え、かつその構成を提案する。
【０００７】
ここで、従来の文献を挙げると、竿芯にコルクグリップを被嵌した構成の特開平１１−３１８２８４号公報が挙げられる。しかし、この発明は竿芯に、無垢のコルクグリップを、構成したものである。しかし、この種のコルクグリップの構造では、穂先等の振動が、手元部とか、リール等に伝達し難いと考えられる。また、コルク以外の木質グリップに関しての記述も見当たらない。
【０００８】
また、グリップ（鞘管）を複数個の短筒体（本発明の短管体）で構成した例で、実用新案登録第３１３７１１４号公報が挙げられる。しかし、この考案は、グラスファイバー製のパイプに、直接、短筒体を被嵌した構成であり、ハイプと短筒体の間には、空間を設ける構成ではない。従って、文献（１）と同じ課題を抱えていると思料される。
【特許文献１】特開平１１−３１８２８４号公報
【特許文献２】実用新案登録第３１３７１１４号公報
【発明の概要】
【発明が解決しようとする課題】
【０００９】
前述の如く、「穂先、及び／又は、釣り糸等の振動を、例えば、木質グリップ（木質の鞘管グリップ）に伝達可能とした」構造は、知見した文献１を始めとし、従来、見聞できなかった。即ち、釣り人としての醍醐味と、喜びにおいて、今一度、工夫をする必要性がある。
【課題を解決するための手段】
【００１０】
以上の「穂先の振動を、例えば、木質グリップに伝達可能とした構造」を、請求項１−８において、開示し、実用に供した釣竿のグリップを提供する。
【発明の効果】
【００１１】
請求項１の発明は、金属製、又は樹脂製、或いはグラスファイバー、炭素繊維強化複合材料の何れかで形成されている可撓性を備え、かつ耐性で成る釣竿の竿芯と、
釣竿の元竿部に被嵌された、木質、又は金属製、樹脂製、或いはグラスファイバー、炭素繊維強化複合材料樹脂製の何れかで形成されている複数のリング形状の短管体でなる鞘管と、
鞘管の内周面と竿芯の外周面の間に形成した空間と、
を備えた釣竿のグリップにおいて、
鞘管は口金を備え、
短管体は、外周側の肉をカットした差込み片と、差込み片に繋がるリング形状の外郭管体とで構成した、
ことを特徴とする釣竿のグリップである。
【００１２】
請求項２の発明は、金属製、又は樹脂製、或いはグラスファイバー、炭素繊維強化複合材料の何れかで形成されている可撓性を備え、かつ耐性で成る釣竿の竿芯と、
この釣竿の元竿部に被嵌された、木質、又は金属製、樹脂製、或いはグラスファイバー、炭素繊維強化複合材料樹脂製の何れかで形成されている複数のリング形状の短管体でなる鞘管と、
鞘管の内周面と竿芯の外周面の間に形成した空間と、
を備えた釣竿のグリップにおいて、
鞘管は口金を備え、
短管体は、外周側の肉をカットした、連結用の細径外管の繋ぎ片と、リング形状の外郭管体でなり、繋ぎ片に外郭管体が被嵌可能である、
ことを特徴とする釣竿のグリップである。
【００１５】
請求項３の発明は、短管体は、差込み片、又は繋ぎ片を用いて、接着剤で連繋固止可能なことを特徴とする釣竿のグリップである。
【００１６】
請求項４の発明は、口金と、鞘管、又は短管体と、竿芯は、接着剤、止め具、又は緊締紐の何れかで、固止可能なことを特徴とする記載の釣竿のグリップである。
【００１７】
請求項５の発明は、口金と、鞘管、又は短管体は、リング形状の管の肉厚を、０．５ｍｍ〜５ｍｍとしたことを特徴とする釣竿のグリップである。
【００１８】
請求項６の発明は、口金と、鞘管、又は短管体は、木質であることを特徴とする釣竿のグリップである。
【００１９】
請求項７の発明は、口金と、鞘管、又は短管体は、木質、又は金属製、樹脂製、或いはグラスファイバー、炭素繊維強化複合材料樹脂製の何れかで形成可能なことを特徴とする釣竿のグリップである。
請求項８の発明は、鞘管の口金は、穂先側、及び／又は手元側端部に設けることを特徴とする釣竿のグリップである。鞘管、又はリールシートが木質の場合に、木の割れ防止に有効であり、本発明の有効性が確保される。
【図面の簡単な説明】
【００２０】
【図１】釣竿の要部（鞘管）を示した縮尺斜視図
【図２】図１の一部（鞘管を構成する短管体）を分解して示した縮尺斜視図
【図３−１】短管体の一例であって、竿芯の外周面との間に、空間を構成して被嵌した断面図
【図３−２】短管体の他の一例であって、竿芯の外周面との間に、空間を構成して被嵌した断面図
【図３−３】管体の一例であり、竿芯の外周面との間に、空間を構成して被嵌した断面図
【図４−１】短管体の一例であり、（イ）は斜視図、（ロ）一部切欠きの斜視図、（ハ）は断面図
【図４−２】短管体の他の一例であり、（イ）は短管体の斜視図、（ロ）は短管体の断面図、（ハ）は繋ぎ片の斜視図、（ニ）は繋ぎ片の断面図、（ホ）は繋ぎ片の別の一例の斜視図
【図４−３】短管体、又は繋ぎ片に空間を形成した他の一例であり、（イ）は短管体、（ロ）繋ぎ片の斜視図
【図４−４】管体の一例であり、（イ）は一部省略の斜視図、（ロ）は一部切欠き・一部省略の斜視図、（ハ）は一部省略の断面図
【図５−１】竿芯とリールシートの一例を示した断面図
【図５−２】竿芯と鞘管及びリールシートの一例を示した断面図
【図５−３】図５−２に示した補強パイプの平面図
【図５−４】図５−２に示した補強パイプの斜視図
【図６−１】竿芯と口金を備えたリールシートの一例を示した断面図
【図６−２】補強パイプのその他の一例を示した断面図
【図６−３】竿芯と口金を備えたリールシートの他の一例を示した断面図
【発明を実施するための形態】
【００２１】
図１〜図４−４において、１は釣竿Ａの竿芯であり、この竿芯１は、金属製、又は樹脂製、或いはグラスファイバー、炭素繊維強化複合材料の何れか、又は組み合わせで形成されている。そして、釣竿Ａとして必要とする耐性と可撓性を備える。この竿芯１の手元部１００には、グリップ（鞘管２）が設けられる。
【００２２】
そして、図２〜図３−２の各図は、木質製、又は金属製、樹脂製、或いはグラスファイバー、炭素繊維強化複合材料樹脂製の何れかで形成されている鞘管２が、複数本のリング状の短管体２００で構成されている。短管体２００は、図３−１と図４−１に示した一案と、図３−２と図４−２に示した二案と、をそれぞれ一例として説明する。
【００２３】
一案では、短管体２００の外周側２００ａの肉を、全周、又は一部等においてカットしたリング形態（リング形状）の差込み片２０１と、差込み片２０１に繋がるリング形態の外郭管体２０２とで形成し、差込み片２０１の内周面２０１ａが、中心に陥没し、かつ外郭管体２０２の内周面２０２ａが、前記内周面２０１ａの外側に位置する構造である。従って、差込み片２０１の外周面２０１ｂは、隣接する外郭管体２０２の内周面２０２ａに差込まれ、かつ支持される（例えば、密着するように支持される）。この差込み支持箇所には、接着剤３、止めリンク、被嵌リンク（図示しない）等の接着手段が施されて、両者（隣接する短管体２００同士）を固定する。この固定状態を、図３−１に示してある。尚、図２と図４−１（イ）〜（ハ）は、短管体２００の分解した模式図（斜視図）である。この鞘管２の外周面２ａには、美感と耐性、塩害防止、耐性等を目的として、塗料とかエポキシ樹脂、ウレタン樹脂等の溶剤を添着する。但し、鞘管２のリールシート２ｂとか、グリップ部２ｃには、防滑、耐性等を目的で、塗料とかエポキシ樹脂、ウレタン樹脂等の溶剤を添着しないことも有り得る。図中５は尻栓を示している。この尻栓５は竿芯１の基部の内周面１ａの螺孔に螺着等される。そして、竿芯１の外周面１ｂと各外郭管体２０２の各内周面２０２ａ（各短管体２００の内周側２００ｂ）との間にはリング形態となる空間６がそれぞれ形成されるとともに、空間６を確保するように、竿芯１の外周面１ｂには、各差込み片２０１の各内周面２０１ａが、例えば、密着するように添接支持される。尚、短管体２００は必要とする数を連結する。図中７は、鞘管２の竿先に位置するキャップである。リング形態である。鞘管２、又はキャップ７の内周面と、竿芯１の外周面１ｂとの間にリング形態等の空間６を形成することも有り得る。尚、この空間６は、竿芯１の軸方向に限らず、図４−３（イ）、（ロ）の如く、鞘管２の放射方向とか、その他の形態でも可能である。また、空間６は、図示の如く、リング形態（リング）に限らず、孔形態とか軸方向のスリット形態でも可能である。図中竿芯１の内部には、一本（一鞘）〜複数本の穂先、又は中間竿を収容することもできる（図示しない）（以下、同じ）。また、鞘管２の差込み片２０１は、木質製の例では、木の割れを防止する。
【００２４】
二案は、差込み片２０１が、外郭管体２０２より分割（分離）した形態であり、差込み片２０１を繋ぎ片２０１−１とする。図３−２と図４−２の各図に示した二案の分解図を参照されたい。即ち、各繋ぎ片２０１−１の外周面２０１−１ｂで、かつその両側に、各外郭管体２０２を、それぞれ隣設するとともに、この各繋ぎ片２０１−１の内周面２０１−１ａは、竿芯１の外周面１ｂに、例えば、密着するように添接支持される。その他の構造は、前記一案に準ずる。この各繋ぎ片２０１−１は、木質製の例では、木の割れを防止する。
【００２５】
また、図３−３と図４−４の各図は、三案であって、木質製、又は金属製、樹脂製、或いはグラスファイバー、炭素繊維強化複合材料樹脂製の何れかで形成されている鞘管２が、一つのリング状であって、細長い形態の管体２０００で構成されている。この管体２０００が、竿芯１の外周面１ｂに被嵌されている。そして、この管体２０００においても空間６を形成するためにブッシュ２００１を設ける構造である。その他の構造は、前記一・二案に準ずる。尚、管体２０００の先端内周面は、竿芯１との嵌合関係を確保することが望ましく、肉厚部を形成する（図３−１、図３−２のキャップ７も同じ）。
【００２６】
図５−１は、四案であって、竿芯１とリールシート２ｂの更に別の一例を示しており、この例におけるリールシート２ｂ（金属性、木質、樹脂、複合樹脂・繊維とか、その他の素材でなる）は、前述の様に、一つのリング形状とした鞘管２の代替品であり、リング形状で、竿芯１が貫通する。この竿芯１の外周面１ａとリールシート２ｂの内周面２ｂａとで空間６を作る。そして、このリールシート２ｂの構成は、図５−１の例では、リールシート２ｂの外周面２ｂｂ（周面方向は問わず。以下同じ）には、一方（穂先側であり、一例である）に可動側（一例である）の係止片２ｂ１を、他方（尻栓側であり、一例である）に固定側（一例である）の係止片２ｂ２をそれぞれ備えている。このリールシート２ｂは、リールシート本体２ｂ３と、リールシート本体２ｂ３の一方に螺着、嵌合等されるリールシートキャップ２ｂ４とでなる。係止片２ｂ１と係止片２ｂ２でリール１０の脚１０ａ、１０ｂを係止する。そのために、リールシート本体２ｂ３の外周面２ｂｂとリールシートキャップ２ｂ４の他方には、他方に向かった隙間１０ｃを形成し、リールシート本体２ｂ３の他方には、その一方に向かった隙間１０ｄが形成されている。その他の構造は、原則として、前記一〜三案に準ずる。
【００２７】
また、図５−２〜図５−４の各図は、五案であって、竿芯１と鞘管２、又はリールシート２ｂの更にその他の一例を示しており、前述した鞘管２の方式を採用する。原則として、複数のリング形状を想定した構造である（一例である）。キャップ７と、短管体２００、及び、補強パイプ８等の組み合わせ構造であって、リールシート２ｂを備える。尚、リールシート２ｂの材質は、金属製、木質製、その他の素材でなる。この補強パイプ８は、図５−３、図５−４に詳細を示すが、竿芯１の誘導、又は竿芯１がグラスファイバー等の可撓性で、鞘管２が木質等の耐性の組合せ時のギャップ回避（撓み時の撓みギャップとか、鞘管２の撓み時の亀裂防止等）を図る。従って、必要時にのみ組み合わせることを意図する（一例である）。また、補強パイプ８は、鞘管２、又はリールシート２ｂの間に設置するが、尻栓５に到ることも有り得る。図中８０は補強パイプ８の切欠きであり、この切欠き８０は、例えば、長手方向の略全体に形成されており、切欠き８０には、後述するガイド８１による抱持、遊嵌等を活用し、穂先（図示しない）の差込み、及び／又は、支持と、補強パイプ８の縮径とか可撓性等を担う。前記穂先の抱持は、例えば、切欠き８０の切欠き端辺８０ａ、８０ｂと補強パイプ８の内周面８ａに内設した、一個又は複数個設けられたガイド（ブッシュ）８１により可能とする。このガイド８１は、補強パイプ８の保護と、穂先の差込みを許し、かつ抱持、及び／又は、保護する。また、ガイド８１を設けることにより、竿芯１の外周面１ｂと、補強パイプ８の内周面８ａの間に、空間６を形成する構造である。さらに、補強パイプ８は、原則として、この一例では、可撓性樹脂、薄肉形態であり、芯竿１と短管体２００、及びリールシート１の間に設置される。その他の構造は、原則として、前記一〜四案に準ずる。
【００２８】
図６−１〜図６−３の各図は、六案・七案であって、穂先側のキャップ７、及び／又は、竿芯１の手元側のキャップ７´に補強と、竿芯１と短管体２００の連繋強化等を図る。その一例を説明すると、六案では、キャップ７の先端側に嵌合凹凸部を形成し、この嵌合凹凸部に口金２０の嵌合凹凸部を嵌合支持する。この嵌合支持を利用して、このキャップ７と口金２０を一体化する。これにより、両者の一体化と固定が確立しつつ、強度の向上が可能となり、かつ海水の侵入防止等に有効である。また、七案では、穂先側の口金２０に加えて、手元側にも口金２０´を設け、口金２０´とキャップ７´、及び／又は、竿芯１との関係においても、両者の一体化と固定を確立しつつ、強度の向上が可能となり、かつ海水の侵入防止等に有効である。その他の構造は、原則として、前記一〜五案に準ずる。また、前記一〜五案の釣竿Ａに、口金２０、２０′を設けることも可能である。尚、キャップ７、７´と口金２０、２０´の関係は、短筒体２００と口金２０、２０´の関係においても採用できる。また効果は、同じである。さらに、図示しないが、短筒体２００と口金２０、２０´の関係は、隣設する短筒体２００間においても口金２０、２０´を嵌合して利用できる。また効果は、同じである。その他の構造は、原則として、前記一〜五案に準ずる。
【００２９】
そして、本発明は、竿芯１の外周面１ｂとグリップ（鞘管２）の内周面２０２ａ、及び又はリールシート２ｂの内周面２ｂａとの間に、空間６を形成する構成であり、穂先（竿先）等の振動（魚等が餌等を捕食している感触）を、例えば、木質製の鞘管２に伝達可能としたので、釣の醍醐味を楽しめる。また、楽しみも向上することが考えられる。さらに、鞘管２を、木質製素材とすることで、下記の利点がある。１）  水に濡れても滑りにくい、２）  持った時の適度な温度、適度な柔らかさを確保できて、握り易いこと、３）  薄くすること、材質に合わせることで、軽量化が可能であること等の利点があること、４）  デザインのバリエーションが限られないことと、自由な形態と作業とを満喫できる。やや手に伝わる感触が敏感である。５）  また、例えば、木の温もりと、柔らかさを楽しめる。疲労が少ないことも利点である。６）  木質や、木目の特長を利用し、工芸品としての特徴が出し易く、又は、木を組み合わせることによって、自然の木の色を楽しむことや、寄木細工的な楽しみが可能となる。
【００３０】
前述の如く、図面に基づいて説明した本発明は、好ましい一例であって、この説明と各図面に限定されない。従って、発明の趣旨の範囲において構成の一部を変更する構造とか、同じ特徴と効果を達成できる構造、等は、本発明の範疇である。
【符号の説明】
【００３１】
１  竿芯
１ａ  内周面
１ｂ  外周面
１００  手元部
２  鞘管（グリップ）
２ａ外周面
２ｂ  リールシート
２ｂａ  内周面
２ｂｂ  外周面
２ｂ１  係止片
２ｂ２  係止片
２ｂ３  リールシート本体
２ｂ４  リールシートキャップ
２ｃ  グリップ部
２００  短管体
２００ａ  外周側
２００ｂ  内周側
２０１  差込み片
２０１−１  繋ぎ片
２０１−１ａ  内周面
２０１−１ｂ  外周面
２０１ａ  内周面
２０１ｂ  外周面
２０２  外郭管体
２０２ａ  内周面
２０００  管体
２００１  ブッシュ
３  接着剤
５  尻栓
６  空間
７  キャップ
７´  キャップ
７ａ  内周面
８  補強パイプ
８ａ  内周面
８０  切欠き
８０ａ  端辺
８０ｂ  端辺
８１  ガイド
１０  リール
１０ａ  脚
１０ｂ  脚
１０ｃ  隙間
１０ｄ  隙間
２０  口金
２０´  口金
Ａ  釣竿
【要約】
【課題】  
従来、竿芯にコルクグリップを被嵌した構成があるが、この種のコルクグリップの構造では、穂先等の振動が、手元部とか、リール等に伝達し難いと考えられる。また、コルク以外の木質による鞘管に関する記述は見当たらない。また、グリップ（鞘管）を複数個の短筒体で構成してあるが、グラスファイバー製のパイプに、直接、短筒体を被嵌する構造である。従って、両者とも、竿芯と短筒体の間には、空間を設ける構成ではないので、伝達性に課題を残す。
【解決手段】  
本発明は、金属製、又は樹脂製、グラスファイバー、炭素繊維等で形成された可撓性と耐性を備えた釣竿の竿芯と、釣竿のリールシート、元竿部に被嵌された、木質、又は金属製、樹脂製等で形成されている鞘管（グリップ）で、鞘管は、一つのリング形態の管体か、又は複数のリング形態の短管体で、鞘管の内周面と、竿芯の外周面との間に、空間を構成した釣竿のグリップである。
【選択図】      図１【図１】
0006739116.tif 000002
【図２】
0006739116.tif 000003
【図３−１】
0006739116.tif 000004
【図３−２】
0006739116.tif 000005
【図３−３】
0006739116.tif 000006
【図４−１】
0006739116.tif 000007
【図４−２】
0006739116.tif 000008
【図４−３】
0006739116.tif 000009
【図４−４】
0006739116.tif 000010
【図５−１】
0006739116.tif 000011
【図５−２】
0006739116.tif 000012
【図５−３】
0006739116.tif 000013
【図５−４】
0006739116.tif 000014
【図６−１】
0006739116.tif 000015
【図６−２】
0006739116.tif 000016
【図６−３】
0006739116.tif 000017